(57)【要約】【課題】本発明は、液体の漏出を抑制した吸収性物品を提供することを目的とする。【解決手段】本発明は、吸収性物品であって、液透過性のトップシートと、液不透過性のバックシートと、バックシートとトップシートとの間であって、トップシート側に配置された上層吸収体と、バックシートと前記トップシートとの間であって、バックシート側に配置された下層吸収体と、上層吸収体及び下層吸収体の全体を包むコアラップシートと、上層吸収体を厚さ方向に貫通して形成され、幅が２０ｍｍ以上、３５ｍｍ以下であって上層吸収体の長手方向に延びる開口部と、上層吸収体と下層吸収体との間に配置され、高吸収性重合体の粒子を複数含み、高吸収性重合体の目付けが２８０ｇ／ｍ２以上、４００ｇ／ｍ２以下であるＳＡＰ層と、を備える。【選択図】図１
2020089475.tif 000002
【特許請求の範囲】
【請求項１】
肌対向面側に配置された液透過性のトップシートと、
前記肌対向面の反対側に配置された液不透過性のバックシートと、
前記バックシートと前記トップシートとの間であって、前記トップシート側に配置された上層吸収体と、
前記バックシートと前記トップシートとの間であって、前記バックシート側に配置された下層吸収体と、
前記上層吸収体及び前記下層吸収体の全体を包むコアラップシートと、
前記上層吸収体を厚さ方向に貫通して形成され、幅が２０ｍｍ以上、３５ｍｍ以下であって前記上層吸収体の長手方向に延びる開口部と、
前記上層吸収体と前記下層吸収体との間であって、前記開口部の長手方向に沿うように前記開口部の両側に、且つ、前記開口部の両端部より５ｍｍ外側から前記上層吸収体の端部より１０ｍｍの範囲内に配置され、高吸収性重合体の粒子を複数含み、前記高吸収性重合体の目付けが１４０ｇ／ｍ２以上、２００ｇ／ｍ２以下であるＳＡＰ層と、
を備え、
前記ＳＡＰ層の幅は、４０ｍｍ以上であり、
前記ＳＡＰ層の長手方向における長さ内に前記開口部の長手方向における長さが含まれている、
吸収性物品。
【請求項２】
前記上層吸収体及び前記下層吸収体に含まれ、前記上層吸収体及び前記下層吸収体における合計の目付け比率を１００％とすると、前記上層吸収体においては４５％以上であり、前記下層吸収体においては５５％以下である高吸収性重合体を更に備える、
請求項１に記載の吸収性物品。
【請求項３】
前記上層吸収体における前記高吸収性重合体の目付けは、５０ｇ／ｍ２以上、１８０ｇ／ｍ２以下であり、
前記下層吸収体における前記高吸収性重合体の目付けは、０ｇ／ｍ２以上、２２０ｇ／ｍ２以下である、
請求項１又は２に記載の吸収性物品。
【発明の詳細な説明】
【技術分野】
【０００１】
本発明は、吸収性物品に関する。
【背景技術】
【０００２】
使い捨ておむつ、吸収性パッド（尿パッド）、生理用品等の吸収性物品が知られている。吸収性物品は、パルプや高吸収性重合体（Ｓｕｐｅｒ  Ａｂｓｏｒｂｅｎｔ  Ｐｏｌｙｍｅｒ：ＳＡＰ）により形成され、尿や体液等の液体を吸収する吸収体を備えている。特許文献１には、上層吸収体及び下層吸収体を備え、こられの吸収体に開口部が形成された吸収性物品が記載されている。
【先行技術文献】
【特許文献】
【０００３】
【特許文献１】国際公開第２０１６／１１４２０９号
【発明の概要】
【発明が解決しようとする課題】
【０００４】
吸収性物品では、液体の拡散性を高めるために吸収体に開口部が形成される場合がある。しかしながら、上層吸収体及び下層吸収体を貫通する開口部が形成されていると、当該開口部にはパルプや高吸収性重合体等の吸収体が存在しないので、開口部で尿等の液体を吸収することができず、液体が漏出してしまう虞がある。
【０００５】
そこで、本発明は、液体の漏出を抑制した吸収性物品を提供することを目的とする。
【課題を解決するための手段】
【０００６】
上記課題を解決するため、本発明では、上層吸収体及び下層吸収体の間にＳＡＰ層を配置した。
【０００７】
詳細には、本発明は、吸収性物品であって、肌対向面側に配置された液透過性のトップシートと、前記肌対向面の反対側に配置された液不透過性のバックシートと、前記バックシートと前記トップシートとの間であって、前記トップシート側に配置された上層吸収体と、前記バックシートと前記トップシートとの間であって、前記バックシート側に配置された下層吸収体と、前記上層吸収体及び前記下層吸収体の全体を包むコアラップシートと、前記上層吸収体を厚さ方向に貫通して形成され、幅が２０ｍｍ以上、３５ｍｍ以下であって前記上層吸収体の長手方向に延びる開口部と、前記上層吸収体と前記下層吸収体との間であって、前記開口部の長手方向に沿うように前記開口部の両側に、且つ、前記開口部の両端部より５ｍｍ外側から前記上層吸収体の端部より１０ｍｍの範囲内に配置され、高吸収性重合体の粒子を複数含み、前記高吸収性重合体の目付けが１４０ｇ／ｍ２以上、２００ｇ／ｍ２以下であるＳＡＰ層と、を備え、前記ＳＡＰ層の幅は、４０ｍｍ以上であり、前記ＳＡＰ層の長手方向における長さ内に前記開口部の長手方向における長さが含まれている。
【０００８】
上記の吸収性物品では、前記上層吸収体及び前記下層吸収体に含まれ、前記上層吸収体及び前記下層吸収体における合計の目付け比率を１００％とすると、前記上層吸収体においては４５％以上であり、前記下層吸収体においては５５％以下である高吸収性重合体を更に備えていてもよい。
【０００９】
上記の吸収性物品では、前記上層吸収体における前記高吸収性重合体の目付けは、５０
ｇ／ｍ２以上、１８０ｇ／ｍ２以下であり、前記下層吸収体における前記高吸収性重合体の目付けは、０ｇ／ｍ２以上、２２０ｇ／ｍ２以下であってもよい。
【発明の効果】
【００１０】
上記の吸収性物品であれば、液体の漏出を抑制可能である。
【図面の簡単な説明】
【００１１】
【図１】図１は、実施形態に係る吸収性パッドの平面図である。
【図２】図２は、実施形態に係る吸収性パッドの断面図である。
【図３】図３は、吸収性パッドの吸収量試験の結果を示す表である。
【図４】図４は、吸収性パッドの吸収量試験の結果を示す表である。
【発明を実施するための形態】
【００１２】
以下、本発明の実施形態について説明する。以下に示す実施形態は、本発明の実施形態の一例であり、本発明の技術的範囲を以下の態様に限定するものではない。
【００１３】
＜実施形態＞
図１は、吸収性パッド（本願でいう「吸収性物品」の一例である）を肌対向面側から見た平面図である。吸収性パッド１は、尿等の液体を吸収して保持するために用いられ、単独でも使用することができるし、使い捨ておむつの内側に重ねて使用することもできる。吸収性パッド１は、長手方向に見て、装着者（着用者）の陰部を覆う股下領域５と、装着者の腹部側に位置する前身頃領域３と、装着者の背部側に位置する後身頃領域７とに区分される。なお、長手方向に直交する方向が吸収性パッド１の幅方向（短手方向）となる。吸収性パッド１は、平面視において、股下領域５に最も狭い横幅を有しており、股下領域５がくびれたひょうたん形状を有している。
【００１４】
なお、以下では、吸収性パッド１を長手方向に見た場合に、相対的に前身頃領域３側を「前」や「前側」や「前方」と称し、相対的に後身頃領域７側を「後」や「後側」や「後方」と称し、後側から前側に向かって相対的に左側を「左」や「左側」や「左方」と称し、後側から前側に向かって相対的に右側を「右」や「右側」や「右方」と称する。なお、吸収性パッド１の前後方向は長手方向となり、吸収性パッド１の左右方向は幅方向となる。また、前後左右方向に直交する方向が吸収性パッド１の厚さ方向（高さ方向）となる。
【００１５】
図１に示すように、吸収性パッド１は、装着状態における肌対向面側に配置されたトップシート１１を備えている。トップシート１１は、吸収性パッド１の装着状態において装着者の肌に接する部分（肌対向面）であり、尿等の液体を透過する液透過性の材料で形成されている。トップシート１１には、具体的には、織布、不織布、多孔性フィルム等が用いられる。なお、不織布には、ポリプロピレン、ポリエチレン、ポリエステル、ナイロン等の熱可塑性樹脂の繊維を親水化処理したものを用いてもよいし、エアスルー不織布、ポイントボンド不織布、スパンボンド不織布、メルトブロー不織布等を用いてもよい。
【００１６】
また、吸収性パッド１は、装着状態における肌対向面の反対側に配置されたバックシート１３を備えている。バックシート１３は、肌対向面と反対の肌非対向面（外表面）となる部分であり、尿等の液体を透過しない液不透過性の材料で形成されている。バックシート１３には、具体的には、ポリエチレン樹脂で形成された液不透過性のフィルムが用いられる。なお、バックシート１３には、液不透過性を維持しつつ装着状態での蒸れを防ぐための通気性を得るために、０．１〜４μｍの微細な孔が複数形成された微多孔性ポリエチレンフィルムを用いることが好ましい。
【００１７】
トップシート１１とバックシート１３とは、夫々の周縁部が互いに接合されている。ま
た、トップシート１１とバックシート１３との間には、尿などの液体を吸収する上層吸収体１５及び下層吸収体１７が配置されている。上層吸収体１５は、トップシート１１側（肌対向面側）に配置されており、下層吸収体１７は、バックシート１３側（肌非対向面側）に配置されている。上層吸収体１５は、平面視において、吸収性パッド１と概ね同じひょうたん形状を有している。下層吸収体１７は、トップシート１１側から見て上層吸収体１５の下方に配置されている。下層吸収体１７は、平面視において、吸収性パッド１の長手方向が長辺となる長方形状を有している。平面視において、上層吸収体１５は、下層吸収体１７よりも大きく形成されている。吸収性パッド１は、尿等の液体が排泄されたときに相対的に大きく、トップシート１１側に配置された上層吸収体１５により尿を迅速に吸収することができる。
【００１８】
上層吸収体１５及び下層吸収体１７には、針葉樹等の繊維材料を解砕して得られるフラッフパルプや、高吸収性重合体（Ｓｕｐｅｒ  Ａｂｓｏｒｂｅｎｔ  Ｐｏｌｙｍｅｒ：ＳＡＰ）、親水性シート等やこれらを組み合わせたものが用いられる。また、ＳＡＰは、自重の１００〜１０００倍程度の液体を吸収する。ＳＡＰには、例えば、液体吸収前の状態において０．１〜０．５ｍｍ程度の直径を有する粒状のものが用いられる。
【００１９】
また、吸収性パッド１は、上層吸収体１５を厚さ方向に貫通して形成された開口部２１を備えている。開口部２１は、上層吸収体１５の長手方向に延びるように形成されている。また、開口部２１は、上層吸収体１５の幅方向略中央に形成されている。平面視において、開口部２１は、長方形状を有している。開口部２１の前側の端部は、前身頃領域３の中程に位置し、開口部２１の後側の端部は、股下領域５の後部に位置している。また、開口部２１は、一定の幅ｗ１を有している。例えば、幅ｗ１は、２０ｍｍ以上、３５ｍｍ以下である。また、開口部２１の長さは、１５５ｍｍ以上、３５０ｍｍ以下に形成されている。この場合、吸収性パッド１は大人用尿パッドに適している。
【００２０】
開口部２１は、装着者が排泄した尿が流入し易いように、装着者の尿道口が当接する位置（尿道口当接位置）に対応して形成されていてもよい。尿道口当接位置は、上層吸収体１５の後側端部から前方に上層吸収体１５の長手方向の長さの６０％の位置に規定される。例えば、上層吸収体１５の長手方向の長さが５００ｍｍである場合、上層吸収体１５の後側端部から前方に３００ｍｍの位置が尿道口当接位置に規定される。なお、股下領域５の左右両端部に円弧状に切り抜いたＲカットが形成されており、Ｒカット形成部の前後方向の長さが３０ｍｍ以内であって、上層吸収体１５の幅方向の最狭部が当該Ｒカットの形成された部分である場合には、当該最狭部の左端と右端とを結ぶ直線と上層吸収体１５の幅方向中央部を通る直線との交点を尿道口当接位置に規定してもよい。
【００２１】
なお、開口部２１は、平面視において、長方形状ではなく、その他の多角形状や楕円形状に形成されていてもよい。また、開口部２１の前後の両端部は、円弧状に形成されていてもよい。
【００２２】
装着者によって排泄された尿等の液体は、開口部２１に沿って拡散される。また、上層吸収体１５上に排泄された尿等の液体を、開口部２１を介して下層吸収体１７に導くことができる。このように、本実施形態に係る吸収性パッド１は、上層吸収体１５及び下層吸収体１７の両方の吸収体によって、液体を吸収して保持することができる。
【００２３】
また、吸収性パッド１は、上層吸収体１５と下層吸収体１７との間に配置されたＳＡＰ層２３Ｌ、２３Ｒを有している。ＳＡＰ層２３Ｌ、２３Ｒは、高吸収性重合体（ＳＡＰ）の粒子が複数集まって形成されている。ＳＡＰ層２３Ｌ、２３Ｒは、ＳＡＰの粒子を複数含み、上層吸収体１５と下層吸収体１７との間に導かれた液体を吸収して保持することができる。図１に示すように、開口部２１の左方にはＳＡＰ層２３Ｌが配置され、開口部２
１の右方にはＳＡＰ層２３Ｒが配置されている。このように、ＳＡＰ層２３Ｌ、２３Ｒは、開口部２１の長手方向に沿うように開口部２１の両側に配置されている。また、平面視において、ＳＡＰ層２３Ｌ、２３Ｒは、長方形状に形成されている。なお、ＳＡＰ層２３Ｌ、２３Ｒは、平面視において、長方形状ではなく、その他の多角形状や楕円形状に形成されていてもよい。吸収性パッド１は、ＳＡＰ層を設けることにより、全体として液体の吸収量を増加させることができる。
【００２４】
ＳＡＰ層２３Ｌは、開口部２１の左側端部よりｗ２ｍｍ外側から上層吸収体１５の左側端部よりｗ３ｍｍ内側までに配置されている。同様に、ＳＡＰ層２３Ｒは、開口部２１の右側端部よりｗ２ｍｍ外側から上層吸収体１５の右側端部よりｗ３ｍｍ内側までに配置されている。このように、ＳＡＰ層２３Ｌ、２３Ｒは、開口部２１の両端部よりｗ２ｍｍ外側から上層吸収体１５の幅方向の端部よりｗ３ｍｍ内側までに配置されている。ｗ２ｍｍは、例えば、５ｍｍであり、ｗ３ｍｍは、例えば、１０ｍｍである。また、ＳＡＰ層２３Ｌ、２３Ｒは、開口部２１よりも長く、ＳＡＰ層２３Ｌ、２３Ｒの長手方向における長さ内に開口部２１の長手方向における長さが含まれている。
【００２５】
本実施形態おいて、ＳＡＰ層２３Ｌ、２３Ｒは、開口部２１の長手方向に沿うように開口部２１の両側に、且つ、開口部２１の両端部より５ｍｍ外側から上層吸収体１５の端部より１０ｍｍの範囲内に配置されており、ＳＡＰ層２３Ｌ、２３Ｒの幅は、４０ｍｍ以上である。
【００２６】
このように、本実施形態に係る吸収性パッド１は、上層吸収体１５、下層吸収体１７、開口部２１、ＳＡＰ層２３Ｌ、２３Ｒを備えている。上層吸収体１５、下層吸収体１７、開口部２１及びＳＡＰ層２３Ｌ、２３Ｒの長手方向は一致している。また、開口部２１とＳＡＰ層２３Ｌ、２３Ｒとは、互いに略平行に配置されている。
【００２７】
また、吸収性パッド１は、肌対向面側から見て下層吸収体１７の左右端部に沿って立体ギャザー（不図示）が配置されている。立体ギャザーは、トップシート１１に接合されており、液体の横漏れを抑制する。
【００２８】
図２は、図１に示す吸収性パッド１をＡ−Ａ線で切断した断面図である。なお、図２において、吸収性パッド１の各構成要素を分かりやすくするために、各構成要素間に隙間を設けて図示しているが、実際には各構成要素間には隙間はほとんど形成されない。
【００２９】
図２に示すように、上層吸収体１５及び下層吸収体１７の全体はコアラップシート３１、３３により包まれている。コアラップシート３１、３３は、トップシート１１を透過した液体を上層吸収体１５及び下層吸収体１７の全体に拡散するために設けられている。コアラップシート３１は、トップシート１１と上層吸収体１５の間に配置されており、トップシート１１側から上層吸収体１５を被覆している。コアラップシート３３は、下層吸収体１７のバックシート１３側の面と、上層吸収体１５及び下層吸収体１７の側面と、上層吸収体１５のトップシート１１側の面の一部を被覆し、トップシート１１側においてコアラップシート３１と接合されている。このように、コアラップシート３１、３３は互いに接合されて一体的となっており、上層吸収体１５及び下層吸収体１７の全体を包んでいる。コアラップシート３１、３３には、例えば、ティッシュペーパーのような薄葉紙や不織布等が用いられる。なお、コアラップシート３１、３３は一体的に形成されていてもよい。
【００３０】
ＳＡＰ層２３Ｌ、２３Ｒは、下層吸収体１７上にＳＡＰの粒子を散布することにより形成される。また、ＳＡＰ層２３Ｌ、２３Ｒは、上層吸収体１５と下層吸収体１７との間に挟持されている。このため、装着者の動作により吸収性パッド１が動いた場合であっても
ＳＡＰ層２３Ｌ、２３Ｒに含まれるＳＡＰの粒子が開口部２１の下方に移動したり、下層吸収体１７外に落ちたりするのを防ぐことができる。
【００３１】
このように、本実施形態に係る吸収性パッド１は、肌対向面側から厚さ方向に見て、トップシート１１、コアラップシート３１、コアラップシート３３の一部、上層吸収体１５、ＳＡＰ層２３Ｌ、２３Ｒ、下層吸収体１７、コアラップシート３３の一部、バックシート１３の順に積層された構造を有している。また、トップシート１１及びバックシート１３の各周縁部が互いに接合されることにより、コアラップシート３１、３３、上層吸収体１５、ＳＡＰ層２３Ｌ、２３Ｒ及び下層吸収体１７がトップシート１１及びバックシート１３により周囲が囲まれて封止されている。
【００３２】
ところで、上記特許文献１に記載された吸収性パッドにおいては、上層吸収体及び下層吸収体を厚さ方向に貫通する貫通型の開口部が形成されている。貫通型の開口部を厚さ方向に見ると、フラッフパルプやＳＡＰ等の吸収体が存在しないので、開口部で尿などの液体を吸収することができない。一方、本実施形態に係る吸収性パッド１は、上層吸収体１５に開口部２１が形成されており、下層吸収体１７に開口部が形成されていない。このため、本実施形態に係る吸収性パッド１は、厚さ方向に見て開口部２１の下方（下層吸収体１７側）の開口端に下層吸収体１７の一部が面しているので、開口部２１に流れ込んだ液体を下層吸収体１７で吸収することができる。また、仮に、上記特許文献１に記載された吸収性パッドと、本実施形態に係る吸収性パッド１との各構成要素の寸法が同じである場合には、上記特許文献１に記載された吸収性パッドは、本実施形態に係る吸収性パッド１と比較して、下層吸収体に形成された開口部の体積分だけ吸収体の体積が小さくなっている。このため、上記特許文献１に記載された吸収性パッドを装着した場合において排尿量が多い場合には、下層吸収体での吸収量が足りず、尿漏れが発生してしまう虞がある。しかしながら、本実施形態に係る吸収性パッド１は、下層吸収体１７に開口部が形成されていないので、下層吸収体１７の体積を小さくすることがなく、排尿量が多い場合でも下層吸収体１７での吸収量を不足させずに尿漏れを抑制することができる。
【００３３】
＜実施例１＞
次に、本実施形態の実施例１に係る吸収性パッド１について説明する。本実施例に係る吸収性パッド１は、上層吸収体１５及び下層吸収体１７におけるＳＡＰの目付け比率に特徴を有している。
【００３４】
本実施例に係る吸収性パッド１において、上層吸収体１５及び下層吸収体１７には、例えば、フラッフパルプが用いられている。また、上層吸収体１５は、ＳＡＰを含んでいる。また、下層吸収体１７は、ＳＡＰを含んでいてもよい。上層吸収体１５及び下層吸収体１７における合計のＳＡＰの目付け比率を１００％とすると、上層吸収体１５においては４５％以上であり、下層吸収体１７においては５５％以下である。なお、下層吸収体１７にＳＡＰが含まれない場合には、上層吸収体１５におけるＳＡＰの目付け比率は１００％であり、下層吸収体１７におけるＳＡＰの目付け比率は０％である。
【００３５】
また、上層吸収体１５におけるＳＡＰの目付けは、５０ｇ／ｍ２以上、１８０ｇ／ｍ２以下であり、下層吸収体１７におけるＳＡＰの目付けは、０ｇ／ｍ２以上、２２０ｇ／ｍ２以下である。なお、下層吸収体１７におけるＳＡＰの目付けの下限値は０ｇ／ｍ２であり、目付けが０ｇ／ｍ２である場合にはＳＡＰは含まれていない。
【００３６】
本実施例に係る吸収性パッド１では、ＳＡＰを含む上層吸収体１５が尿等の液体を迅速に吸収することで、トップシート１１が液体を吸収したり、トップシート１１の表面上に液体が溜まったりするのを防ぎ、装着者に不快感を与えないようにすることができる。また、下層吸収体１７は、上層吸収体１５が吸収しきれなかった液体や開口部２１を介して
拡散された液体を吸収する。本実施例に係る吸収性パッド１は、上層吸収体１５及び下層吸収体１７により液体を吸収して保持することで、液体の漏出を抑制することができる。
【００３７】
一般的に、上層吸収体及び下層吸収体を設ける場合、下層吸収体における吸収量を増やしてバックシート側への液体漏出を抑制することが考えられる。吸収体における吸収量を増やすには、例えば、下層吸収体におけるＳＡＰの目付け比率や目付けを高くする。しかしながら、上層吸収体に開口部が形成され、下層吸収体に開口部が形成されていない場合、下層吸収体におけるＳＡＰの目付け比率を必要以上に高くすると、下層吸収体が、液体を大量に吸収して膨潤しすぎてしまい、開口部を塞いでしまう虞がある。例えば、１回目の排尿時に下層吸収体が、尿を吸収して膨潤し、開口部を塞いでしまうと、２回目以降の排尿時に開口部を介して尿を拡散することができず、尿漏れが発生してしまう虞がある。一方、本実施例に係る吸収性パッド１は、上層吸収体１５及び下層吸収体１７におけるＳＡＰの目付け比率の合計を１００％とすると、上層吸収体１５においては４５％以上であり、下層吸収体１７においては５５％以下としている。これにより、液体の吸収時に下層吸収体１７が開口部２１を塞ぐ程度までに膨潤するのを防いで開口部２１が塞がってしまうのを防ぐことができる。本実施例に係る吸収性パッド１は、尿等の液体の吸収時に下層吸収体１７が開口部２１を塞ぐのを防ぎ、２回目以降の排尿時に開口部を介して尿を拡散させることで、尿漏れを抑制することができる。
【００３８】
次に、吸収性パッドにおける尿注入試験（以下、「試験」と称する）について説明する。この試験では、液体漏れを抑制し得る上層吸収体１５及び下層吸収体１７におけるＳＡＰの目付け比率の好適な範囲が導かれる。なお、吸収性パッドにＳＡＰ層２３Ｌ、２３Ｒを設けると、ＳＡＰ層２３Ｌ、２３Ｒの吸収量が試験結果に影響してしまうため、当該ＳＡＰの目付け比率の好適な範囲を導けなくなる。このため、ＳＡＰ層２３Ｌ、２３Ｒを備えない吸収性パッドを作成して本試験を行った。
【００３９】
本試験における準備物は、試験板（１６ｃｍ×１６ｃｍ、鉄製、厚さ１０ｍｍ）、人工尿及び濾紙（８０ｍｍ×８ｍｍ）である。試験板は、中央に円形の孔（径４０ｍｍ）が形成されている。
【００４０】
次いで、吸収性パッドを皺の無い状態に広げて固定する。固定には、ガムテープやフックテープが用いられる。吸収性パッドは、作業者側に後身頃領域が向くように固定される。
【００４１】
吸収性パッドの開口部の長手方向の中央に試験板の孔の中央が位置するように試験板を吸収体パッド上に設置する。次いで、人工尿１５０ｍｌを準備する。人工尿は、蒸留水１０００ｍＬに対して、尿素２０ｇ、塩化ナトリウム８ｇ、硫酸マグネシウム７水和物０．８ｇ、塩化カルシウム２水和物０．３ｇを溶解させて調製した。試験板の孔内に準備した人工尿を１５０ｍｌ注入する。吸収性パッドが人工尿を全て吸収したら試験板を吸収性パッド上から外す。なお、吸収性パッドに注いだ人工尿の全てがトップシート上から無くなった時が吸収性パッドが人工尿を全て吸収した時である。人工尿の注入開始から人工尿が全て吸収された時までの時間を吸収速度（秒）として評価した。吸収性パッドへの１回目の人工尿注入から１１分後に上記と同様に試験板を吸収性パッド上に設置し、１回目の人工尿注入から１１分後に再び人工尿１４０ｍｌを上記と同様に吸収性パッドに注入する。この工程をあと１回繰り返す。これにより、合計で４３０ｍｌの人工尿を吸収性パッドに注入する。
【００４２】
図３は、本試験の結果を示す表である。本試験では、上層吸収体及び下層吸収体におけるＳＡＰ目付け比率を０〜１００％の間で５％刻みに変化させ（２１個）、開口部の幅を１５ｍｍ〜４０ｍｍで５ｍｍ刻みに変化させ（６個）、合計１２１個の吸収性パッドを作
成した。
【００４３】
図３の表の「漏れ抑制」の欄は、吸収性パッドが液体の漏れを抑制できたか否かを示している。当該欄の「◎」、「〇」は、漏れを抑制できた結果を示している。より具体的には、当該欄の「◎」は、下層吸収体が開口部を全く埋めず、吸収速度が低下せずに漏れを抑制できた結果を示している。当該欄の「〇」は、下層吸収体が開口部をほとんど埋めておらず、吸収速度が低下せずに漏れを抑制できた結果を示している。また、当該欄の「△」、「×１」、「×２」、「×３」は、漏れを抑制できない結果を示している。より具体的には、当該欄の「×１」は、下層吸収体の膨らみによって開口部が埋まってしまい吸収速度の低下が起きてしまい、漏れを抑制できなかった結果を示している。当該欄の「×２」は、開口部は埋まってはいないが開口部の幅が狭すぎて開口部による人工尿の拡散に時間がかかり、拡散しきる前に人工尿が吸収されてしまい、開口部が人工尿を拡散する機能を発揮できずに吸収速度が低下して漏れを抑制できなかった結果を示している。当該欄の「×３」は、開口部は埋まっていないが、開口部の幅が広すぎて開口部の長手方向に人工尿が拡散しきる前に吸収されてしまい、開口部が人工尿を拡散する機能を発揮できずに漏れを抑制できなかった結果を示している。
【００４４】
図３の表から読み取れるように、開口部幅が２０ｍｍである場合には、上層吸収体におけるＳＡＰの目付け比率は３０％より大きくし、下層吸収体におけるＳＡＰの目付け比率は７０％より大きくするのが好ましく、上層吸収体におけるＳＡＰの目付け比率は３５％より大きくし、下層吸収体におけるＳＡＰの目付け比率は６５％より大きくするとさらに好ましく、上層吸収体におけるＳＡＰの目付け比率は４５％以上とし、下層吸収体におけるＳＡＰの目付け比率は５５％以上とすると漏れを抑制することができた。同様に、開口部幅が２５ｍｍである場合には、上層吸収体におけるＳＡＰの目付け比率は２５％より大きくし、下層吸収体におけるＳＡＰの目付け比率は７５％より大きくするのが好ましく、上層吸収体におけるＳＡＰの目付け比率は３０％より大きくし、下層吸収体におけるＳＡＰの目付け比率は７０％より大きくするとさらに好ましく、上層吸収体におけるＳＡＰの目付け比率は３５％より大きくし、下層吸収体におけるＳＡＰの目付け比率は６５％より大きくするとまたさらに好ましく、上層吸収体におけるＳＡＰの目付け比率は４５％以上とし、下層吸収体におけるＳＡＰの目付け比率は５５％以上とすると漏れを抑制することができた。同様に、開口部幅が３０ｍｍ、３５ｍｍである場合には、上層吸収体におけるＳＡＰの目付け比率は２０％より大きくし、下層吸収体におけるＳＡＰの目付け比率は８０％より大きくするのが好ましく、上層吸収体におけるＳＡＰの目付け比率は２５％より大きくし、下層吸収体におけるＳＡＰの目付け比率は７５％より大きくするとさらに好ましく、上層吸収体におけるＳＡＰの目付け比率は３０％より大きくし、下層吸収体におけるＳＡＰの目付け比率は７０％より大きくするとまたさらに好ましく、上層吸収体におけるＳＡＰの目付け比率は３５％より大きくし、下層吸収体におけるＳＡＰの目付け比率は６５％より大きくするとまたさらに好ましく、上層吸収体におけるＳＡＰの目付け比率は４５％以上とし、下層吸収体におけるＳＡＰの目付け比率は５５％以上とすると漏れを抑制することができた。
【００４５】
このように、開口部幅が２０〜３５ｍｍである場合には、上層吸収体におけるＳＡＰの目付け比率は３０％より大きくし、下層吸収体におけるＳＡＰの目付け比率は７０％より大きくするのが好ましく、上層吸収体におけるＳＡＰの目付け比率は３５％より大きくし、下層吸収体におけるＳＡＰの目付け比率は６５％より大きくするとさらに好ましく、上層吸収体におけるＳＡＰの目付け比率は４５％以上とし、下層吸収体におけるＳＡＰの目付け比率は５５％以上とすると漏れを抑制することができた。なお、上層吸収体におけるＳＡＰの目付け比率が９５％、１００％であり、下層吸収体におけるＳＡＰの目付け比率が５％、０％である場合に、漏れ抑制の結果が「◎」であるように、最も漏れを抑制することができた。
【００４６】
一方、開口部幅が１５ｍｍ、４０ｍｍである場合には、漏れを抑制することができなかった。開口部幅が１５ｍｍである場合で、上層吸収体におけるＳＡＰの目付け比率４５％以上、下層吸収体におけるＳＡＰの目付け比率５５％以下である場合には、漏れ抑制の結果を「×２」で示すように、開口部の幅が狭すぎて開口部による人工尿の拡散に時間がかかり、拡散しきる前に人工尿が吸収されてしまい、開口部が人工尿を拡散する機能を発揮できずに吸収速度が低下してしまい漏れを抑制できなかった。開口部幅が４０ｍｍである場合で、上層吸収体におけるＳＡＰの目付け比率３０％以上、下層吸収体におけるＳＡＰの目付け比率７０％以下である場合には、漏れ抑制の結果を「×３」で示すように、開口部は埋まっていないが、開口部の幅が広すぎて開口部の長手方向に人工尿が拡散しきる前に吸収されてしまい、開口部が人工尿を拡散する機能を発揮できずに漏れを抑制できなかった。このため、開口部２１幅は、１５ｍｍより大きく、４０ｍｍ未満が好ましく、より好ましくは、２０ｍｍ以上、３５ｍｍ以下である。
【００４７】
このように、図３に示すように、ＳＡＰの目付け比率を、上層吸収体１５においては４５％以上であって、下層吸収体１７においては５５％以下とすると、漏れを抑制することができた。
【００４８】
また、吸収体においてはＳＡＰが液体を保持する機能を発揮するので、上層吸収体におけるＳＡＰの目付けが小さすぎると上層吸収体が一旦吸収した液体を保持しきれず逆戻りが生じてしまい、これとは逆に上層吸収体におけるＳＡＰの目付けが大きすぎると、液体の吸収時にゲルブロックが生じてしまい、吸収速度が低下してしまう。さらに、下層吸収体におけるＳＡＰの目付けが大きすぎると、下層吸収体が液体を吸収しすぎて膨潤してしまい、開口部を埋めてしまう。このため、上層吸収体におけるＳＡＰの目付けは、５０ｇ／ｍ２以上、１８０ｇ／ｍ２以下の範囲内であり、下層吸収体におけるＳＡＰの目付けは、０ｇ／ｍ２以上、２２０ｇ／ｍ２以下とした。この目付けの範囲内においても、上記のＳＡＰ目付け比率内であれば、漏れを抑制することができる。なお、図３に示す実験例での漏れを抑制できた結果において、上層吸収体におけるＳＡＰ目付けは９０ｇ／ｍ２〜１７０ｇ／ｍ２であり、下層吸収体におけるＳＡＰ目付けは０ｇ／ｍ２〜１２０ｇ／ｍ２であった。
【００４９】
本実施例に係る吸収性パッド１は、上層吸収体１５及び下層吸収体１７に含まれ、上層吸収体１５及び下層吸収体１７における合計の目付け比率を１００％とすると、上層吸収体１５においては４５％以上であり、下層吸収体１７においては５５％以下であるＳＡＰを備えている。そして、本実施例に係る吸収性パッド１において、上層吸収体１５におけるＳＡＰの目付けは、５０ｇ／ｍ２以上、１８０ｇ／ｍ２以下であり、下層吸収体１７におけるＳＡＰの目付けは、０ｇ／ｍ２以上、２２０ｇ／ｍ２以下である。本実施例に係る吸収性パッド１によれば、開口部２１により液体を拡散することができ、液体の漏れを抑制することができる。
【００５０】
なお、「◎」の結果においては人工尿を３回注入した本試験における吸収速度は２０秒以下であった。「〇」の結果においては人工尿を３回注入した本試験における吸収速度は２１秒以上、２５秒以下であった。「△」の結果においては人工尿を３回注入した本試験における吸収速度は２６秒以上、５９秒以下であった。「×１」の結果においては人工尿を３回注入した本試験における吸収速度は６０秒以上であった。なお、「×２」及び「×３」の結果においては、開口部が人工尿を拡散できていないため、吸収速度については評価していない。吸収速度が２６秒以上であると、吸収できていない人工尿がトップシート上に溜まり、立体ギャザーと肌との隙間から漏れる横漏れが生じてしまう虞があるため好ましくない。本実施例に係る吸収性パッド１によれば、液体の吸収速度を低下させることがなく、液体の漏れを抑制することができる。
【００５１】
＜実施例２＞
次に、本実施形態の実施例２に係る吸収性パッド１について説明する。本実施例に係る吸収性パッド１は、ＳＡＰ層２３Ｌ、２３ＲにおけるＳＡＰの目付けに特徴を有している。
【００５２】
本実施例に係る吸収性パッド１において、ＳＡＰ層２３Ｌ、２３Ｒの各目付けは、例えば、１４０〜２００ｇ／ｍ２であり、ＳＡＰ層２３Ｌ、２３Ｒの各長さ（前後方向の長さ）は、４７０〜５５５ｍｍであり、ＳＡＰ層２３Ｌ、２３Ｒの各幅は、４０ｍｍ以上であり好ましくは４０〜４５ｍｍであり、ＳＡＰ層２３Ｌ、２３Ｒの各面積は、０．０１８〜０．０２５ｍ２であり、ＳＡＰ層２３Ｌ、２３Ｒの各ＳＡＰの散布量は、６〜１０ｇである。
【００５３】
本実施形態に係る吸収性パッド１は、装着者によって排泄された尿等の液体の一部を、開口部２１を介して上層吸収体１５の下方に導き、ＳＡＰ層２３Ｌ、２３Ｒによって吸収することができる。これにより、吸収性パッド１は、一度に大量の尿等の液体が排泄された場合であっても、ＳＡＰ層２３Ｌ、２３Ｒで液体を吸収することができるので、液体の漏出を抑制することができる。
【００５４】
また、ＳＡＰ層２３Ｌ、２３Ｒは、ＳＡＰの各粒子が液体を吸収すると全体的に膨潤して厚さが厚くなる。上層吸収体１５と下層吸収体１７との間に配置されたＳＡＰ層２３Ｌ、２３Ｒの厚さが増すので、ＳＡＰ層２３Ｌ、２３Ｒが上層吸収体１５を持ち上げ、ＳＡＰ層２３Ｌ、２３Ｒの間の領域２４（開口部２１下方の領域）の高さも増し、開口部２１の下層吸収体１７側の開口端をＳＡＰ層の厚さの分だけ延長して開口部２１の高さを増すことができる。これにより、下層吸収体が尿を吸収して膨潤したとしても、下層吸収体１７が開口部２１を塞ぐのを防ぎ、開口部２１を介して尿を拡散させることで、尿等の液体の漏出を抑制することができる。
【００５５】
また、本実施例に係る吸収性パッド１では、ＳＡＰ層２３Ｌ、２３Ｒの長手方向における長さ内に開口部２１の長手方向における長さが含まれている。これにより、ＳＡＰ層２３Ｌ、２３Ｒが液体を吸収して厚さを増すことで、開口部２１の全体の高さを増すことができるので、開口部２１の一部が塞がってしまうことを防ぎ、開口部２１を介して尿を拡散させることで、尿等の液体の漏出を抑制することができる。
【００５６】
次に、実施例１と同様の試験を行った。図４は、吸収性パッドの尿注入試験の結果を示す表である。本試験では、ＳＡＰ層におけるＳＡＰ目付け（ｇ／ｍ２）を０〜２４０の間で２０（ｇ／ｍ２）％刻みに変化させ（１３個）、開口部の幅を１５ｍｍ〜４０ｍｍで５ｍｍ刻みに変化させ（６個）、合計７８個の吸収性パッドを作成した。
【００５７】
図４の表の「漏れ抑制」の欄は、吸収性パッドが液体漏れを抑制できたか否かを示している。当該欄の「◎」、「〇」は、漏れを抑制できた結果を示している。より具体的には、当該欄の「◎」は、ＳＡＰ層が膨むことで両側のＳＡＰ層の間の領域（図４２に示す領域２４）の高さが増し、下層吸収体が開口部を全く埋めないので、吸収速度が低下せずに漏れを抑制できた結果を示している。当該欄の「〇」は、ＳＡＰ層が少し膨むことで両側のＳＡＰ層の間の領域の高さが少し増し、下層吸収体が開口部を全く埋めないので、吸収速度が低下せずに漏れを抑制できた結果を示している。
【００５８】
当該欄の「△」、「×１」、「×２」、「×３」、「×４」は、漏れを抑制できなかった結果を示している。より具体的には、「△」は、ＳＡＰ層があまり膨らまなかったので両側のＳＡＰ層の間の領域の高さが増さず、下層吸収体が開口部を少し埋めて、吸収速度
が低下して漏れを抑制できなかった結果を示している。「×１」は、ＳＡＰ層がほぼ膨らまなかったので両側のＳＡＰ層の間の領域の高さが増さず、下層吸収体が開口部を埋めてしまい、吸収速度が低下して漏れを抑制できなかった結果を示している。当該欄の「×２」は、開口部は埋まってはいないが開口部の幅が狭すぎて開口部による人工尿の拡散に時間がかかり、拡散しきる前に人工尿が吸収されてしまい、吸収速度の低下により漏れを抑制できなかった結果を示している。当該欄の「×３」は、開口部は埋まっていないが、開口部の幅が広すぎて開口部の長手方向に人工尿が拡散しきる前に吸収されてしまい、開口部が人工尿を拡散する機能を発揮できずに漏れを抑制できなかった結果を示している。当該欄の「×４」は、ＳＡＰ層におけるＳＡＰ目付けが大きすぎて（ＳＡＰの粒子が多すぎて）、開口部内に膨張したＳＡＰ層が溢れてしまい、開口部がＳＡＰにより埋められてしまって吸収速度が低下し、漏れを抑制できなかった結果を示している。
【００５９】
図４の表から読み取れるように、開口部幅が１５ｍｍである場合には、ＳＡＰ層におけるＳＡＰの目付けは、８０ｇ／ｍ２より大きくするのが好ましく、１００ｇ／ｍ２より大きくするとさらに好ましく、１２０ｇ／ｍ２より大きくするとまたさらに好ましく、１４０ｇ／ｍ２以上とすると漏れを抑制することができた。同様に、開口部幅が２０ｍｍである場合には、ＳＡＰ層におけるＳＡＰの目付けは、６０ｇ／ｍ２より大きくするのが好ましく、８０ｇ／ｍ２より大きくするとさらに好ましく、１００ｇ／ｍ２より大きくするとまたさらに好ましく、１２０ｇ／ｍ２より大きくするとまたさらに好ましく、１４０ｇ／ｍ２以上とすると漏れを抑制することができた。同様に、開口部幅が２５ｍｍ、３０ｍｍである場合には、ＳＡＰ層におけるＳＡＰの目付けは、４０ｇ／ｍ２より大きくするのが好ましく、６０ｇ／ｍ２より大きくするとまたさらに好ましく、８０ｇ／ｍ２より大きくするとまたさらに好ましく、１００ｇ／ｍ２より大きくするとまたさらに好ましく、１２０ｇ／ｍ２より大きくするとまたさらに好ましく、１４０ｇ／ｍ２以上とすると漏れを抑制することができた。同様に、開口部幅が３５ｍｍである場合には、ＳＡＰ層におけるＳＡＰの目付けは、２０ｇ／ｍ２より大きくするのが好ましく、４０ｇ／ｍ２より大きくするとまたさらに好ましく、６０ｇ／ｍ２より大きくするとまたさらに好ましく、８０ｇ／ｍ２より大きくするとまたさらに好ましく、１００ｇ／ｍ２より大きくするとまたさらに好ましく、１２０ｇ／ｍ２より大きくするとまたさらに好ましく、１４０ｇ／ｍ２以上とすると漏れを抑制することができた。
【００６０】
このように、開口部幅が１５〜３５ｍｍである場合には、ＳＡＰ層におけるＳＡＰの目付けは、８０ｇ／ｍ２より大きくするのが好ましく、１００ｇ／ｍ２より大きくするとさらに好ましく、１２０ｇ／ｍ２より大きくするとまたさらに好ましく、１４０ｇ／ｍ２以上、２００ｇ／ｍ２以下である場合に漏れを抑制することができた。なお、ＳＡＰの目付けが２００ｇ／ｍ２の欄で「◎」で示すように、ＳＡＰの目付けが２００ｇ／ｍ２である場合が最も漏れを抑制することができた。
【００６１】
一方、開口部幅が４０ｍｍである場合には、ＳＡＰ層におけるＳＡＰの目付けに関わらず漏れを抑制することができなかった。これは、開口部幅が４０ｍｍである場合のほとんどの結果が「×３」であるように、開口部の幅が広すぎて開口部の長手方向に人工尿が拡散しきる前に吸収されてしまい、開口部が人工尿を拡散する機能を発揮できずに漏れを抑制できなかったためである。このため、開口部２１の幅は、４０ｍｍ未満が好ましく、３５ｍｍ以下が好適である。
【００６２】
図４に示すように、ＳＡＰ層におけるＳＡＰの目付けを、１４０〜２００（ｇ／ｍ２）とすると、漏れを抑制することができた。本実施例に係る吸収性パッド１は、ＳＡＰ層におけるＳＡＰの目付けが１４０ｇ／ｍ２以上、２００ｇ／ｍ２以下である。本実施例に係る吸収性パッド１によれば、開口部２１により液体を拡散することができ、液体の漏れを抑制することができる。
【００６３】
なお、「◎」の結果においては人工尿を３回注入した本試験における吸収速度は２０秒以下であった。「〇」の結果においては人工尿を３回注入した本試験における吸収速度は２１秒以上、２５秒以下であった。「△」の結果においては人工尿を３回注入した本試験における吸収速度は２６秒以上、５９秒以下であった。「×１」の結果においては人工尿を３回注入した本試験における吸収速度は６０秒以上であった。なお、「×２」、「×３」及び「×４」の結果においては、吸収速度については評価していない。吸収速度が２６秒以上であると、吸収できていない人工尿がトップシート上に溜まり、立体ギャザーと肌との隙間から漏れる横漏れが生じてしまう虞があるため好ましくない。本実施例に係る吸収性パッド１によれば、液体の吸収速度を低下させることがなく、液体の漏れを抑制することができる。
【００６４】
なお、上記実施形態及び実施例では、吸収性パッド１が例示されていたが、その他の形態の吸収性物品においても上記構成を適用可能である。上記構成を適用可能な吸収性物品としては、例えば、パンツ型の使い捨ておむつ、テープ型の使い捨ておむつ、尿パッド、軽失禁パッドといったギャザー付きの各種形態の吸収性物品や、ギャザーの無いフラットな吸収性物品を挙げることができる。
【符号の説明】
【００６５】
１・・吸収性パッド：３・・前身頃領域：５・・股下領域：７・・後身頃領域：１１・・トップシート：１３・・バックシート：１５・・上層吸収体：１７・・下層吸収体：２１・・開口部：２３Ｌ・・ＳＡＰ層：２３Ｒ・・ＳＡＰ層：３１・・コアラップシート：３３・・コアラップシート
【図１】
2020089475.tif 000003
【図２】
2020089475.tif 000004
【図３】
2020089475.tif 000005
【図４】
2020089475.tif 000006